(57)【特許請求の範囲】
【請求項１】
円環状の回転炉床と、
前記回転炉床の外周面に沿って配置された外周固定壁と、
前記回転炉床の内周面に沿って配置された内周固定壁と、
前記回転炉床の外周面と前記外周固定壁との隙間および前記回転炉床の内周面と前記内周固定壁との隙間にそれぞれ所定間隔で配置された複数のバーナーと
を有する回転炉床炉であって、
前記複数のバーナーは、
燃焼空気を供給する中空筒状の燃焼空気管であり、先端部の中心軸が略水平方向に配設され、かつ、先端が封じられ、この封じられた先端の直前部に、真上を除く斜め上方が開口された第１の燃焼空気吐出口と、この第１の燃焼空気吐出口と所定間隔で上方が開口された第２の燃焼空気吐出口とを備えた燃焼空気管と、
前記第１の燃焼空気吐出口および前記第２の燃焼空気吐出口の近傍に、燃焼ガスを供給する燃焼ガス管と
をそれぞれ有するものである回転炉床炉。
【請求項２】
前記第１の燃焼空気吐出口は、前記第２の燃焼空気吐出口よりも前記封じられた先端に近い位置に配設されたものである請求項１記載の回転炉床炉。
【請求項３】
前記燃焼ガス管は、前記燃焼空気管内で当該燃焼空気管と同軸上に配設され、かつ先端部が前記燃焼空気管の先端から突出させて配設され、前記燃焼空気管から突出した部分の上方が開口された燃焼ガス吐出口を備えたものである請求項１または２に記載の回転炉床炉。
【請求項４】
前記複数のバーナーは、各バーナーによる前記回転炉床の外周面と前記外周固定壁との隙間の前記回転炉床の外周面上端部および前記回転炉床の内周面と前記内周固定壁との隙間の前記回転炉床の内周面上端部の雰囲気温度が９００℃以下とならないように各バーナーの炎が重なる間隔で配置されたものである請求項１から３のいずれかに記載の回転炉床炉。
【請求項５】
請求項１から４のいずれかに記載の回転炉床炉において、前記燃焼空気管により供給される燃焼空気と前記燃焼ガス管により供給される燃焼ガスとの空燃比を１．０〜１．２とした回転炉床炉の操業方法。
【発明の詳細な説明】
【技術分野】
【０００１】
本発明は、主として鉄鉱石や製鉄廃棄物等の酸化鉄含有原料から、還元鉄を製造する回転炉床炉およびその操業方法に関する。
【背景技術】
【０００２】
古くから鉄鉱石や製鉄廃棄物等の酸化鉄含有原料から還元鉄を製造する回転炉床炉が実用化されている。例えば、特許文献１に記載の回転炉床炉は、円環状の回転炉床と、回転炉床の外周面に沿って配置された外周固定壁と、回転炉床の内周面に沿って配置された内周固定壁とを備える。そして、回転炉床の外周面および内周面とその周りの外周固定壁および内周固定壁の隙間は、双方に配せられたシールプレートを水封することで密閉され、炉外の大気を炉内に吸引したり、炉内のガスが炉外に漏洩したりすることを防ぐ構造になっている。
【０００３】
また、この回転炉床炉で処理する原料に含まれる亜鉛は、還元処理により炉内に揮発する。この気化亜鉛は、回転炉床の外周面および内周面とその周りの外周固定壁および内周固定壁の隙間に侵入すると、水封部の冷輻射により冷やされ、固体として析出し、回転炉床の外周面および内周面やその周りの外周固定壁および内周固定壁に付着し、操業障害を生ずるという問題がある。そのため、特許文献１に記載の回転炉床炉では、回転炉床の外周面および内周面とその周りの外周固定壁および内周固定壁の隙間の下方から上向きに燃焼ガスまたは熱風を吹き込む加熱手段であるバーナーまたは熱風吹き込み装置を設けている。
【先行技術文献】
【特許文献】
【０００４】
【特許文献１】特開２０１０−２２３５５６号公報
【発明の概要】
【発明が解決しようとする課題】
【０００５】
上述のように特許文献１に記載の回転炉床炉では、回転炉床の外周面および内周面とその周りの外周固定壁および内周固定壁の隙間の下方から上向きにバーナーまたは熱風吹き込み装置により燃焼ガスまたは熱風を吹き込むことにより、回転炉床炉の外周面および内周面やその周りの外周固定壁および内周固定壁に気化亜鉛等の析出物が付着することを防止している。しかしながら、特許文献１には、燃焼ガス等を吹き込むバーナーまたは熱風吹き込み装置に関しての具体的な手段や構造は示されていない。
【０００６】
そこで、本発明においては、回転炉床の外周面および内周面とその周りの外周固定壁および内周固定壁の隙間の下方から燃焼ガス等を効率的に吹き込むことが可能なバーナーを備えた回転炉床炉およびその操業方法を提供することを目的とする。
【課題を解決するための手段】
【０００７】
本発明の回転炉床炉は、円環状の回転炉床と、回転炉床の外周面に沿って配置された外周固定壁と、回転炉床の内周面に沿って配置された内周固定壁と、回転炉床の外周面と外周固定壁との隙間および回転炉床の内周面と内周固定壁との隙間にそれぞれ所定間隔で配置された複数のバーナーとを有する回転炉床炉であって、複数のバーナーは、燃焼空気を供給する中空筒状の燃焼空気管であり、先端部の中心軸が略水平方向に配設され、かつ、先端が封じられ、この封じられた先端の直前部に、真上を除く斜め上方が開口された第１の燃焼空気吐出口と、この第１の燃焼空気吐出口と所定間隔で上方が開口された第２の燃焼空気吐出口とを備えた燃焼空気管と、第１の燃焼空気吐出口および第２の燃焼空気吐出口の近傍に、燃焼ガスを供給する燃焼ガス管とをそれぞれ有するものである。
【０００８】
本発明の回転炉床炉によれば、燃焼空気管により供給される燃焼空気が、燃焼空気管の封じられた先端に衝突して跳ね返り、その直前部の第１の燃焼空気吐出口と第２の燃焼空気吐出口とから吐出される。このとき、第２の燃焼空気吐出口は上方が開口されているため、燃焼空気は上方へ向かって吐出されるが、第１の燃焼空気吐出口は真上を除く斜め上方が開口されているため、燃焼空気は真上の開口されていない部分に衝突して斜め上方へ拡がりながら吐出される。これにより、燃焼空気管の第１の燃焼空気吐出口および第２の燃焼空気吐出口から吐出される燃焼空気は、燃焼ガス管により供給される燃焼ガスを巻き込みながら回転炉床の外周面と外周固定壁との隙間および回転炉床の内周面と内周固定壁との隙間を広い範囲へ拡がっていく。
【０００９】
ここで、第１の燃焼空気吐出口と第２の燃焼空気吐出口とは、どちらが燃焼空気管の先端に近い位置に配設されていても良いが、第１の燃焼空気吐出口が第２の燃焼空気吐出口よりも封じられた先端に近い位置に配設されたものであることが望ましい。第２の燃焼空気吐出口が第１の燃焼空気吐出口よりも封じられた先端に近い場合、燃焼空気管の先端に衝突して跳ね返った燃焼空気は、跳ね返った勢いを保ったまま、上方が開口されている第２の燃焼空気吐出口から多くが上方へ向かって吐出される傾向となるが、第１の燃焼空気吐出口が第２の燃焼空気吐出口よりも封じられた先端に近い場合には、燃焼空気管の先端に衝突して跳ね返った燃焼空気は、第１の燃焼空気吐出口の間の開口されていない部分に衝突し、第１の燃焼空気吐出口および第２の燃焼空気吐出口へ向かうため、より広い範囲へと吐出される。
【００１０】
また、燃焼ガス管は、燃焼空気管内で当該燃焼空気管と同軸上に配設され、かつ先端部が燃焼空気管の先端から突出させて配設され、燃焼空気管から突出した部分の上方が開口された燃焼ガス吐出口を備えたものであることが望ましい。これにより、各バーナーが燃焼空気管と燃焼ガス管とが一体化されたコンパクトなものとなるため、回転炉床の外周面と外周固定壁との狭い隙間および回転炉床の内周面と内周固定壁との狭い隙間への複数のバーナーの設置が容易となる。
【００１１】
また、複数のバーナーは、各バーナーによる回転炉床の外周面と外周固定壁との隙間の回転炉床の外周面上端部および回転炉床の内周面と内周固定壁との隙間の回転炉床の内周面上端部の雰囲気温度が９００℃以下とならないように各バーナーの炎が重なる間隔で配置されたものであることが望ましい。各バーナーから吹き込まれる燃焼空気および燃焼ガスの吹き込み量は各バーナーの中心が最も多く、中心から離れるにしたがって少なくなる傾向があるが、各バーナーによる回転炉床の外周面と外周固定壁との隙間の回転炉床の外周面上端部および回転炉床の内周面と内周固定壁との隙間の回転炉床の内周面上端部の雰囲気温度が９００℃以下とならないように各バーナーの炎が重なる間隔で各バーナーを配置することにより、所定間隔で設置される複数のバーナーの間の温度を亜鉛の気化温度以上に保つことができるので、気化亜鉛の析出を防止することが可能となる。
【００１２】
また、上記本発明の回転炉床炉の操業方法は、燃焼空気管により供給される燃焼空気と燃焼ガス管により供給される燃焼ガスとの空燃比を１．０〜１．２とすることが望ましい。空燃比を１．０以上とすると、燃焼ガスの燃焼に必要な酸素よりも過剰な酸素が供給されるため、回転炉床の外周面と外周固定壁との隙間および回転炉床の内周面と内周固定壁との隙間へ侵入する気化亜鉛を酸化させて、析出を抑制することが可能となる。但し、回転炉床炉内では還元雰囲気で原料を還元処理しているため、還元雰囲気を阻害しないように空燃比は１．２以下とすることが望ましい。
【発明の効果】
【００１３】
（１）複数のバーナーが、燃焼空気を供給する中空筒状の燃焼空気管であり、先端部の中心軸が略水平方向に配設され、かつ、先端が封じられ、この封じられた先端の直前部に、真上を除く斜め上方が開口された第１の燃焼空気吐出口と、この第１の燃焼空気吐出口と所定間隔で上方が開口された第２の燃焼空気吐出口とを備えた燃焼空気管と、第１の燃焼空気吐出口および第２の燃焼空気吐出口の近傍に、燃焼ガスを供給する燃焼ガス管とをそれぞれ有するものであることにより、燃焼空気管の第１の燃焼空気吐出口および第２の燃焼空気吐出口から吐出される燃焼空気は、燃焼ガス管により供給される燃焼ガスを巻き込みながら回転炉床の外周面と外周固定壁との隙間および回転炉床の内周面と内周固定壁との隙間を広い範囲へ拡がっていくため、回転炉床炉に設置するバーナーの本数を削減しても、回転炉床の外周面と外周固定壁との隙間および回転炉床の内周面と内周固定壁との隙間への析出物の付着を防止することが可能となる。
【００１４】
（２）第１の燃焼空気吐出口が第２の燃焼空気吐出口よりも封じられた先端に近い位置に配設されたものとすれば、燃焼空気管の封じられた先端に衝突して跳ね返った燃焼空気が、第１の燃焼空気吐出口の間の開口されていない部分に衝突し、第１の燃焼空気吐出口および第２の燃焼空気吐出口へ向かうため、回転炉床の外周面と外周固定壁との隙間および回転炉床の内周面と内周固定壁との隙間のより広い範囲へと吐出されるようになり、燃焼ガス管により供給される燃焼ガスを巻き込みながらさらに回転炉床の外周面と外周固定壁との隙間および回転炉床の内周面と内周固定壁との隙間を広い範囲へ拡がっていくので、回転炉床の外周面と外周固定壁との隙間および回転炉床の内周面と内周固定壁との隙間への析出物の付着をさらに防止することが可能となる。
【００１５】
（３）燃焼ガス管が、燃焼空気管内で当該燃焼空気管と同軸上に配設され、かつ先端部が燃焼空気管の先端から突出させて配設され、燃焼空気管から突出した部分の上方が開口された燃焼ガス吐出口を備えたものであることにより、各バーナーが燃焼空気管と燃焼ガス管とが一体化されたコンパクトなものとなるため、回転炉床の外周面と外周固定壁との狭い隙間および回転炉床の内周面と内周固定壁との狭い隙間への複数のバーナーの設置が容易となり、メンテナンスも容易となる。
【００１６】
（４）複数のバーナーが、各バーナーによる回転炉床の外周面と外周固定壁との隙間の回転炉床の外周面上端部および回転炉床の内周面と内周固定壁との隙間の回転炉床の内周面上端部の雰囲気温度が９００℃以下とならないように各バーナーの炎が重なる間隔で配置されたものであることにより、各バーナー間での析出物の付着を防止することが可能となる。
【００１７】
（５）燃焼空気管により供給される燃焼空気と燃焼ガス管により供給される燃焼ガスとの空燃比を１．０〜１．２とすることにより、回転炉床の外周面と外周固定壁との隙間および回転炉床の内周面と内周固定壁との隙間へ侵入する気化亜鉛を酸化させて、析出を抑制することが可能となり、さらに析出物の付着を防止することが可能となる。
【図面の簡単な説明】
【００１８】
【図１】（ａ）は本発明の実施の形態における回転炉床炉の平面透視による概略図、（ｂ）は（ａ）のＡ−Ａ断面図、（ｃ）は（ｂ）のＢ−Ｂ断面図である。
【図２】バーナーの先端部を拡大した図であって、（ａ）は斜視図、（ｂ）は平面図、（ｃ）は正面図である。
【図３】（ａ）は図２（ｃ）のＡ−Ａ断面図、（ｂ）はＢ−Ｂ断面図、（ｃ）はＣ−Ｃ断面図、（ｄ）はＤ−Ｄ断面図である。
【図４】１つのバーナー単独で燃焼ガス・空気を吹き込んだ際のバーナーの先端部からの距離Ｈ地点における温度分布を示す図である。
【図５】実施例の回転炉床炉において燃焼ガス・空気を吹き込んだ際のバーナーの先端部からの距離Ｈ地点における温度分布を示す図である。
【発明を実施するための形態】
【００１９】
図１の（ａ）は本発明の実施の形態における回転炉床炉の平面透視による概略図、（ｂ）は（ａ）のＡ−Ａ断面図、（ｃ）は（ｂ）のＢ−Ｂ断面図、図２はバーナーの先端部を拡大した図であって、（ａ）は斜視図、（ｂ）は平面図、（ｃ）は正面図、図３の（ａ）は図２（ｃ）のＡ−Ａ断面図、（ｂ）はＢ−Ｂ断面図、（ｃ）はＣ−Ｃ断面図、（ｄ）はＤ−Ｄ断面図である。
【００２０】
図１（ａ）に示すように、本発明の実施の形態における回転炉床炉は、円環状の回転炉床１と、回転炉床１の外周面１ａに沿って配置された外周固定壁２と、回転炉床１の内周面１ｂに沿って配置された内周固定壁３と、回転炉床１の外周面１ａと外周固定壁２との隙間２ａおよび回転炉床１の内周面１ｂと内周固定壁３との隙間３ａに対してそれぞれ燃焼ガスおよび燃焼空気を吹き込む複数のバーナー４とを備える。バーナー４は、回転炉床１の外周面１ａおよび内周面１ｂに沿ってそれぞれ所定間隔Ｋで配置されている。
【００２１】
また、図１（ｂ）に示すように、回転炉床１の外周面１ａと外周固定壁２との隙間２ａは、回転炉床１の外周面１ａに沿ってその下部に配設されたシールプレート５と、外周固定壁２に沿ってその下部に配設されたシールプレート５とを水封部６により水封することで、炉内を密閉する構造となっている。また、図示しないが、回転炉床１の内周面１ｂと内周固定壁３との隙間３ａも同様に配設されたシールプレート５を水封部６により水封することで、炉内を密閉する構造となっている。
【００２２】
酸化鉄含有原料は、原料供給装置７によって回転炉床１の上に供給される。回転炉床１は本実施形態においては時計回りに回転し、回転炉床１が回転する間に酸化鉄含有原料は還元された還元鉄となり、還元鉄排出装置８によって炉外に排出される。
【００２３】
バーナー４は、隙間２ａ，３ａの下方かつシールプレート５の水封部６より上方に、先端部の中心軸Ｏが略水平方向かつ回転炉床１の中心に向かう方向に配設されている。図２に示すように、バーナー４は、燃焼空気を供給する中空筒状の燃焼空気管１０と、燃焼ガスを供給する燃焼ガス管２０とから構成される。燃焼空気管１０と燃焼ガス管２０とは中心軸Ｏの同軸上に配設されている。
【００２４】
燃焼空気管１０の先端部は上方が開口されるとともに、この開口部を２分割する仕切板１１が設けられている。また、燃焼空気管１０の先端は燃焼空気管閉塞板１２によって封じられている。仕切板１１によって２分割された開口部のうち、先端側（図２の左側）の上方の一部は整流板１３によって塞がれることにより、真上を除く斜め上方が開口された第１の燃焼空気吐出口１４が形成されている。また、他方の開口部は、上方が開口された第２の燃焼空気吐出口１５となっている。
【００２５】
燃焼ガス管２０は、燃焼空気管１０内に配設され、先端部が燃焼空気管１０の先端の燃焼空気管閉塞板１２を貫通することにより、燃焼空気管１０から突出した状態で配設されている。燃焼ガス管２０の先端部、すなわち、燃焼空気管１０から突出した部分の上方は開口されて、燃焼ガス吐出口２１となっている。燃焼ガス管２０の先端は、燃焼ガス管閉塞板２２によって封じられている。
【００２６】
上記構成のバーナー４では、燃焼空気管１０により供給される燃焼空気が、燃焼空気管１０の先端の燃焼空気管閉塞板１２に衝突して跳ね返り、その直前部の第１の燃焼空気吐出口１４と第２の燃焼空気吐出口１５とから吐出される。このとき、第２の燃焼空気吐出口１５は上方が開口されているため、燃焼空気は上方へ向かって吐出されるが、第１の燃焼空気吐出口１４は真上を除く斜め上方が開口されているため、燃焼空気は真上の整流板１３に衝突して斜め上方へ拡がりながら吐出される。
【００２７】
そのため、燃焼空気管１０の第１の燃焼空気吐出口１４および第２の燃焼空気吐出口１５から吐出される燃焼空気は、燃焼ガス管２０により供給される燃焼ガスを巻き込みながら、回転炉床１の外周面１ａと外周固定壁２との隙間２ａおよび回転炉床１の内周面１ｂと内周固定壁３との隙間３ａをバーナー４の先端部の中心軸Ｏに対して直交方向の広い範囲へ拡がっていく。したがって、回転炉床炉に設置するバーナー４の本数を削減しても、回転炉床１の外周面１ａと外周固定壁２との隙間２ａおよび回転炉床１の内周面１ｂと内周固定壁３との隙間３ａへの気化亜鉛等の析出物の付着を防止することが可能となっている。
【００２８】
また、バーナー４は、各バーナー４による回転炉床１の外周面１ａと外周固定壁２との隙間２ａの回転炉床１の外周面上端部および回転炉床１の内周面１ｂと内周固定壁３との隙間３ａの回転炉床１の内周面上端部の雰囲気の炎端部温度、すなわち、図１（ｃ）に示すように、各バーナー４の先端部から回転炉床１の上面までの距離Ｈの地点の温度が９００℃以下とならないように、各バーナー４の炎が重なる間隔Ｋで配置されている。この間隔Ｋは各バーナー４からの燃焼ガス・空気９の吹き込み幅Ｐ以下となっている。これにより、所定間隔で設置される複数のバーナー４の間の温度を亜鉛の気化温度以上に保つことができるので、気化亜鉛の析出を防止することが可能となっている。
【００２９】
また、このバーナー４では、第１の燃焼空気吐出口１４が第２の燃焼空気吐出口１５よりも封じられた先端に近い位置に配設されたものであるため、燃焼空気管１０の先端の燃焼空気管閉塞板１２に衝突して跳ね返った燃焼空気が、第１の燃焼空気吐出口１４の間の開口されていない部分である整流板１３に衝突し、第１の燃焼空気吐出口１４および第２の燃焼空気吐出口１５へ向かうため、回転炉床１の外周面１ａと外周固定壁２との隙間２ａおよび回転炉床１の内周面１ｂと内周固定壁３との隙間３ａのより広い範囲へと吐出されるようになっており、燃焼ガス管２０により供給される燃焼ガスを巻き込みながらさらに回転炉床１の外周面１ａと外周固定壁２との隙間２ａおよび回転炉床１の内周面１ｂと内周固定壁３との隙間３ａを広い範囲へ拡がっていく。そのため、隙間２ａ，３ａへの気化亜鉛等の析出物の付着をさらに防止することが可能となっている。
【００３０】
また、本実施形態においては、燃焼ガス管２０が、燃焼空気管１０内で燃焼空気管１０と中心軸Ｏで同軸上に配設され、かつ先端部が燃焼空気管１０の先端から突出させて配設され、燃焼空気管１０から突出した部分の上方が開口された燃焼ガス吐出口２１を備えたものであり、バーナー４は燃焼空気管１０と燃焼ガス管２０とが一体となったコンパクトなものであるため、回転炉床１の外周面１ａと外周固定壁２との狭い隙間２ａおよび回転炉床１の内周面１ｂと内周固定壁３との狭い隙間３ａへの複数のバーナー４の設置が容易であり、メンテナンスも容易である。
【００３１】
なお、本実施形態においては、燃焼空気管１０の仕切板１１によって２分割された開口部のうち先端側を第１の燃焼空気吐出口１４とし、後方側を第２の燃焼空気吐出口１５としているが、逆に先端側を第２の燃焼空気吐出口１５とし、後方側を第１の燃焼空気吐出口１４とすることも可能である。また、燃焼ガス管２０は燃焼空気管１０を貫通して設けているが、第１の燃焼空気吐出口１４および第２の燃焼空気吐出口１５の近傍に燃焼ガスを供給する構成であれば良く、燃焼空気管１０とは別に設けることも可能である。
【実施例】
【００３２】
上記構成の回転炉床炉において、燃焼ガスとしてＬＮＧを使用し、その流量を１．４Ｎｍ3／ｈとした。また、燃焼空気流量を１４．２Ｎｍ3／ｈとして試験を行った。図１（ｃ）に示す各バーナー４の先端部から回転炉床１の上面までの距離Ｈ＝３００ｍｍの地点での燃焼ガス・空気９の吹き込み幅がＰ＝１２００ｍｍであったことから、バーナー４の配置間隔をＫ＝６００ｍｍとした。
【００３３】
図４は図示していない１つのバーナー４単独で燃焼ガス・空気９を吹き込んだ際のバーナー４の先端部からの距離Ｈ地点における温度分布を、バーナー４の先端部中心からの距離（横軸）と温度（縦軸）とで表したものである。図４から分かるように、バーナー４の先端部からの距離Ｈ地点では、バーナー４の先端部中心の真上では１０５０℃であり、気化亜鉛は析出して付着しないが、バーナー４の先端部中心から離れると９００℃以下となり、気化亜鉛が析出し、金属亜鉛が隙間２ａ，３ａの近傍に付着する恐れがある。
【００３４】
一方、図５は上記図１（ｃ）に示す実施例の回転炉床炉において燃焼ガス・空気９を吹き込んだ際のバーナー４の先端部からの距離Ｈ地点における温度分布を表したものである。図５から分かるように、本実施例の回転炉床炉では、バーナー４の先端部中心から離れた位置であっても、各バーナー４の火炎が重なるように配置されているため、９００℃超を保っており、加熱状態も均一となることから、隙間２ａ，３ａへの金属亜鉛の付着が防止される。
【００３５】
また、上記図１（ｃ）に示すバーナー４の配置の状態でバーナー４の燃焼空気と燃焼ガスとの空燃比を変化させ、隙間２ａ，３ａ近傍における金属亜鉛の付着物の状況を目視により観察した結果を表１に示す。表１から明らかなように、空燃比１．０以上では、金属亜鉛の付着物がなかった。空燃比が１．０以上のとき、燃焼ガスの燃焼に必要な酸素よりも過剰な酸素が供給されるため、隙間２ａ，３ａへ侵入する気化亜鉛が酸化し、析出を抑制することが可能であることが確認できた。なお、回転炉床炉内では還元雰囲気で原料を還元処理しているため、還元雰囲気を阻害しないように空燃比は１．２以下とすることが好ましい。
【００３６】
【表１】
0005882139.tif 000002
【産業上の利用可能性】
【００３７】
本発明は、主として鉄鉱石や製鉄廃棄物等の酸化鉄含有原料から、還元鉄を製造する回転炉床炉およびその操業方法として有用である。
【符号の説明】
【００３８】
１  回転炉床
１ａ  外周面
１ｂ  内周面
２  外周固定壁
２ａ  隙間
３  内周固定壁
３ａ  隙間
４  バーナー
５  シールプレート
６  水封部
７  原料供給装置
８  還元鉄排出装置
９  燃焼ガス・空気
１０  燃焼空気管
１１  仕切板
１２  燃焼空気管閉塞板
１３  整流板
１４  第１の燃焼空気吐出口
１５  第２の燃焼空気吐出口
２０  燃焼ガス管
２１  燃焼ガス吐出口
２２  燃焼ガス管閉塞板
【図２】
0005882139.tif 000003
【図３】
0005882139.tif 000004
【図４】
0005882139.tif 000005
【図５】
0005882139.tif 000006
【図１】
0005882139.tif 000007